(57)【要約】【課題】簡便かつ適切にスピーカの配置を調整することができるスピーカ配置調整システム、及び調整方法を提供すること【解決手段】本実施の形態にかかるスピーカ配置調整システムは、第１のスピーカ１０と、第２のスピーカ２０と、第１のスピーカ１０の放音方向、及び第２のスピーカ２０の放音方向に配置された反射装置３０と、を備えている。反射装置３０は、第１のスピーカ１０に取り付けられたレーザ発光装置１１からのレーザ光Ｌ１を、第１のスピーカ１０に向けて反射する第１の反射部３１と、第２のスピーカ２０に取り付けられたレーザ発光装置２１からのレーザ光Ｌ２を、第２のスピーカ２０に向けて反射する第２の反射部３２と、を備えている。【選択図】図１
2020123807.tif 000002
【特許請求の範囲】
【請求項１】
第１のスピーカと、
第２のスピーカと、
前記第１のスピーカの放音方向、及び前記第２のスピーカの放音方向に配置された反射装置と、を備え、
前記反射装置は、
前記第１のスピーカに取り付けられたレーザ発光装置からの第１のレーザ光を、前記第１のスピーカに向けて反射する第１の反射部と、
前記第２のスピーカに取り付けられたレーザ発光装置からの第２のレーザ光を、前記第２のスピーカに向けて反射する第２の反射部と、を備え、
前記第１の反射部で反射された前記第１のレーザ光の位置に応じて、前記第１のスピーカを調整し、
前記第２の反射部で反射された前記第２のレーザ光の位置に応じて、前記第２のスピーカを調整するスピーカ配置調整システム。
【請求項２】
前記第１の反射部が、第１の平面鏡であり、
前記第２の反射部が、前記第１の平面鏡と異なる角度に配置された第２の平面鏡である請求項１に記載のスピーカ配置調整システム。
【請求項３】
前記第１の反射部で反射された前記第１のレーザ光が拡がりながら伝播しており、
前記第２の反射部で反射された前記第２のレーザ光が拡がりながら伝播しており、
前記第１のレーザ光のビームサイズに応じて、前記反射装置から前記第１のスピーカまでの距離を調整し、
前記第２のレーザ光のビームサイズに応じて、前記反射装置から前記第２のスピーカまでの距離を調整する、請求項１に記載のスピーカ配置調整システム。
【請求項４】
前記第１の反射部が、第１の曲面鏡であり、
前記第２の反射部が、前記第１の曲面鏡と異なる角度に配置された第２の曲面鏡である請求項１、又は３に記載のスピーカ配置調整システム。
【請求項５】
前記反射装置が球形状のミラーである請求項１、又は３に記載のスピーカ配置調整システム。
【請求項６】
前記レーザ発光装置が前記第１及び第２のスピーカに対して脱着可能に設けられている請求項１〜５のいずれか１項に記載のスピーカ配置調整システム。
【請求項７】
第１のスピーカに取り付けられたレーザ発光装置から、前記第１のスピーカの放音方向に配置された反射装置に向けて、第１のレーザ光を出射する工程と、
前記反射装置の第１の反射部で反射された第１のレーザ光の位置に応じて、前記第１のスピーカを調整する工程と、
第２のスピーカに取り付けられたレーザ発光装置から、前記第１のスピーカの放音方向に配置された前記反射装置に向けて、第２のレーザ光を出射する工程と、
前記反射装置の第２の反射部で反射された第２のレーザ光の位置に応じて、前記第２のスピーカを調整する工程と、を備えたスピーカ配置調整方法。
【発明の詳細な説明】
【技術分野】
【０００１】
本発明は、スピーカ配置調整システム、及び調整方法に関する。
【背景技術】
【０００２】
特許文献１は、より簡単にスピーカの配置角度を確認できる音響映像再生システムを開示している。特許文献１では、リモコン送信器がレーザ発光手段を有している。スピーカは、レーザ光を受ける光反射面をスピーカ前面中央軸上に有している。ユーザがリモコン送信器をスピーカに向けて、発光キーを押すと、レーザ光が照射される。ユーザは、光反射面から戻ってくる反射光により、ユーザがスピーカに正対しているか確認する。
【０００３】
特許文献２には、マルチチャネルに対応したスピーカの設置位置を調整する装置が開示されている。この装置は、レーザ照射装置と、レーザ照射装置を回転させる回転機構と、理想的な位置を記憶する記憶部と、回転機構を駆動する調整手段とを備えている。
【先行技術文献】
【特許文献】
【０００４】
【特許文献１】特開２０１１−２１１５７０号公報
【特許文献２】特開２００９−５０７８号公報
【発明の概要】
【発明が解決しようとする課題】
【０００５】
しかしながら、特許文献１では、ユーザがスピーカに向けてリモコン送信器を向ける必要がある。したがって、ユーザがリモコン送信器を操作する位置や角度によっては、適切にスピーカ配置を調整することができないおそれがある。特に、複数のスピーカを有するサラウンドスピーカシステムにおいて、それぞれのスピーカ配置を適切に調整することが困難であるという問題点がある。
【０００６】
特許文献２では、レーザ照射装置を回転させるモータや、モータの制御装置が必要となってしまう。よって、装置が複雑化、大型化してしまう。また、特許文献２の装置では、実際の受聴環境に応じた設定を行うことが困難である。特にユーザの自宅などにスピーカシステムを設置する場合、スピーカを設置できる位置が制限されるおそれがある。よって、受聴環境に適したスピーカ配置に調整することが困難となってしまう。
【０００７】
本発明は上記の点に鑑みなされたものであり、簡便かつ適切にスピーカ配置を調整することができるスピーカ配置調整システム、及び調整方法を提供することを目的とする。
【課題を解決するための手段】
【０００８】
本実施の形態にかかるスピーカ配置調整システムは、第１のスピーカと、第２のスピーカと、前記第１のスピーカの放音方向、及び前記第２のスピーカの放音方向に配置された反射装置と、を備え、前記反射装置は、前記第１のスピーカに取り付けられたレーザ発光装置からの第１のレーザ光を、前記第１のスピーカに向けて反射する第１の反射部と、前記第２のスピーカに取り付けられたレーザ発光装置からの第２のレーザ光を、前記第２のスピーカに向けて反射する第２の反射部と、を備え、前記第１の反射部で反射された前記第１のレーザ光の位置に応じて、前記第１のスピーカを調整し、前記第２の反射部で反射された前記第２のレーザ光の位置に応じて、前記第２のスピーカを調整するものである。
【０００９】
本実施の形態にかかるスピーカ配置調整方法は、第１のスピーカに取り付けられたレーザ発光装置から、受聴位置に配置された反射部に向けて、第１のレーザ光を出射する工程と、前記反射部の第１の反射部で反射された第１のレーザ光の位置に応じて、前記第１のスピーカを調整する工程と、第２のスピーカに取り付けられたレーザ発光装置から前記反射部に向けて、第２のレーザ光を出射する工程と、前記反射部の第２の反射部で反射された第２のレーザ光の位置に応じて、前記第２のスピーカを調整する工程と、を備えたものである。
【発明の効果】
【００１０】
本発明によれば、簡便かつ適切にスピーカの配置を調整することができるスピーカ配置調整システム、及び調整方法を提供することができる。
【図面の簡単な説明】
【００１１】
【図１】実施の形態１にかかるスピーカ配置調整システムの構成を模式的に示す図である。
【図２】スピーカにおけるレーザ発光装置と、戻り光Ｌ１１の位置を示す図である。
【図３】反射装置の構成を示す図である。
【図４】変形例にかかる反射装置の構成を示す図である。
【図５】実施の形態２にかかるスピーカ配置調整システムの構成を模式的に示す図である。
【図６】確認領域に設けられた目盛りを模式的に示す図である。
【図７】実施の形態３にかかるスピーカ配置調整システムの構成を模式的に示す図である。
【図８】実施の形態４にかかるスピーカ配置調整システムの構成を模式的に示す図である。
【図９】実施の形態５にかかるスピーカ配置調整システムの構成を模式的に示す図である。
【図１０】図５の構成から第１のスピーカ１０の位置を回転移動した構成を示す図である。
【発明を実施するための形態】
【００１２】
本実施形態にかかるスピーカ配置調整システムは、サラウンドスピーカやステレオスピーカ等のスピーカの配置を調整するものである。なお、以下の説明では、主として、２ｃｈのステレオスピーカシステムにおいて、スピーカ配置を調整する例について説明するが、スピーカ数は特に限定されるものではない。例えば、２ｃｈに限らず、２．１ｃｈ、５．１ｃｈ、５．１．２ｃｈ、７．１ｃｈ、７．１．２ｃｈ等のスピーカシステムにおけるスピーカ配置を調整することができる。例えば、受聴環境であるユーザの自宅などにおいて、複数のスピーカが配置されている。
【００１３】
本実施の形態にかかるスピーカ配置調整システムについて、図１を用いて説明する。図１に示すスピーカ配置調整システム１００は、第１のスピーカ１０と、第２のスピーカ２０と、レーザ発光装置１１と、レーザ発光装置２１と、反射装置３０とを備えている。図１では、第１のスピーカ１０と第２のスピーカ２０が２ｃｈのステレオスピーカである例を示している。具体的には、第１のスピーカ１０は、受聴位置Ｐの左側に配置される左スピーカであり、第２のスピーカ２０は、受聴位置Ｐの右側に配置される右スピーカとなる。なお，以下の説明における前後方向、及び左右方向は、受聴者を基準とするものであり、相対的なものである。
【００１４】
第１のスピーカ１０、及び第２のスピーカ２０は、受聴位置Ｐに向けて再生音を出力する。受聴位置Ｐは、受聴者であるユーザが受聴を行う位置に対応する。第１のスピーカ１０と第２のスピーカ２０とは、受聴位置Ｐを基準とする正面前方に対して、対称な開き角θで配置されている。なお、開き角θは水平面内において、冗長位置Ｐを基準とする正面前方からの角度を示す。また、第１のスピーカ１０と第２のスピーカ２０とは水平に配置されているとする。
【００１５】
第１のスピーカ１０にはレーザ発光装置１１が取り付けられている。レーザ発光装置１１は、レーザダイオード（ＬＤ）などのレーザ光源を有している。例えば、レーザ発光装置１１は、第１のスピーカ１０のバッフル板に対して、ほぼ垂直になるように配置されている。レーザ発光装置１１は、両面テープや接着剤などにより、第１のスピーカ１０に固定されている。レーザ発光装置１１は、受聴位置Ｐにある反射装置３０に向けてレーザ光Ｌ１を出射する。
【００１６】
同様に、第２のスピーカ２０にはレーザ発光装置２１が取り付けられている。レーザ発光装置２１は、例えば、レーザ発光装置２１は、第２のスピーカ２０のバッフル板に対して、ほぼ垂直になるように配置されている。レーザ発光装置２１は、両面テープや接着剤などにより、第２のスピーカ２０に固定されている。レーザ発光装置２１は、受聴位置にある反射装置３０に向けてレーザ光Ｌ２を出射する。レーザ光Ｌ１、及びレーザ光Ｌ１は可視光となっている。
【００１７】
反射装置３０は、第１の反射部３１と第２の反射部３２とを備えている。反射装置３０は、第１のスピーカ１０の放音方向、及び第２のスピーカ２０の放音方向に配置されている。具体的には、第１の反射部３１は、第１のスピーカ１０の放音方向の中心軸上に配置されている。第２の反射部３２は、第２のスピーカ２０の放音方向の中心軸上に配置されている。
【００１８】
第１の反射部３１と第２の反射部３２は、それぞれ平面鏡である。第１の反射部３１と第２の反射部３２は、異なる角度で設置されている。第１の反射部３１にレーザ光Ｌ１が入射すると、レーザ光Ｌ１は、第１の反射部３１で反射される。第１の反射部３１で反射したレーザ光Ｌ１は、第１のスピーカ１０の方向に戻る。第２の反射部３２にレーザ光Ｌ２が入射すると、レーザ光Ｌ２は、第２の反射部３２で反射される。第２の反射部３２で反射したレーザ光Ｌ２は、第２のスピーカ２０の方向に戻る。反射装置３０で反射したレーザ光Ｌ１、レーザ光Ｌ２を戻り光と称する。
【００１９】
図２を用いて、レーザ光Ｌ１の戻り光について説明する。図２は、レーザ発光装置１１が取り付けられている第１のスピーカ１０の前面側を模式的に示す図である。第１のスピーカ１０は、バッフル板１３と、スピーカユニット１４とを備えている。
【００２０】
スピーカユニット１４はボイスコイルや振動板などを有する放音部となる。スピーカユニット１４としては、コーン型やドーム型などの種々のタイプのものを用いることができる。もちろん、スピーカユニット１４のタイプは特に限定されるものではない。スピーカユニット１４はバッフル板１３に取り付けられている。バッフル板１３は、図示しない箱形の筐体に取り付けられている。
【００２１】
バッフル板１３には、レーザ発光装置１１が固定されている。図２では、レーザ発光装置１１は、スピーカユニット１４の上方に配置されているが、レーザ発光装置１１の取付位置は、特に限定されるものではない。レーザ発光装置１１は、発光部１１０と、確認領域１１１とを備えている。
【００２２】
発光部１１０は、レーザダイオード（ＬＤ）などのレーザ発光素子を有しており、平行光束であるレーザ光Ｌ１を出射する。確認領域１１１は、発光部１１０の周辺に配置されている。確認領域１１１は、発光部１１０よりも大きくなっている。発光部１１０と確認領域１１１が同心円状に配置されている。もちろん、確認領域１１１は円形に限られるものではない。図２では、第１の反射部３１で反射したレーザ光Ｌ１を戻り光Ｌ１１として示している。
【００２３】
第１のスピーカ１０の設置角度に応じて、戻り光Ｌ１１の位置が変化する。具体的には、受聴位置Ｐに対して、第１のスピーカ１０が正対している場合、戻り光Ｌ１１の位置が発光部１１０と一致する。換言すると、レーザ光Ｌ１の光軸と第１の反射部３１の反射面とが直交する場合、戻り光Ｌ１１が発光部１１０に入射する。一方、第１のスピーカ１０が正対していない場合、戻り光Ｌ１１の位置が発光部１１０からずれる。換言すると、レーザ光Ｌ１の光軸と第１の反射部３１の反射面とが直交していない場合、戻り光Ｌ１１が発光部１１０の周辺にある確認領域１１１に入射する。
【００２４】
ユーザは、確認領域１１１における戻り光Ｌ１１の位置を確認しながら、第１のスピーカ１０の設置角度を調整することができる。戻り光Ｌ１１が発光部１１０に入射するように、ユーザが第１のスピーカ１０の角度を調整することで、受聴位置Ｐに対して第１のスピーカ１０を正対させることができる。また、戻り光Ｌ１１の位置が上下方向にずれている場合、第１のスピーカ１０を上下方向に傾ければよい。具体的には、第１のスピーカ１０の底面にスペーサなどを追加することで、上下方向の傾きを調整することができる。
【００２５】
このように、受聴位置Ｐに反射装置３０が配置されている。第１のスピーカ１０に配置されたレーザ発光装置１１がレーザ光Ｌ１を反射装置３０に向けて出射している。第１の反射部３１で反射した戻り光Ｌ１１の位置に応じて、ユーザが第１のスピーカ１０を調整する。これにより、第１のスピーカ１０が受聴位置Ｐに対して正対するように、第１のスピーカ１０の設置角度を調整することができる。
【００２６】
第２のスピーカ２０、及びレーザ発光装置２１は、第１のスピーカ１０、及びレーザ発光装置１１と同様の構成を有している。よって、同様の手法により、第２のスピーカ２０の設置角度を調整することができる。第２のスピーカ２０に配置されたレーザ発光装置２１がレーザ光Ｌ２を反射装置３０に向けて出射している。第２の反射部３２で反射した戻り光の位置に応じて、第２のスピーカ２０を調整する。これにより、第２のスピーカ２０が受聴位置Ｐに対して正対するように、第２のスピーカ２０の設置角度を調整することができる。
【００２７】
第１のスピーカ１０、第２のスピーカ２０を受聴位置Ｐに対して、正確に正対させることができる。ユーザが受聴する場合、受聴位置Ｐから反射装置３０を取り除く。ユーザが受聴位置Ｐに着席して、第１のスピーカ１０、第２のスピーカ２０からの再生音を受聴する。これにより、受聴位置Ｐにいるユーザが、適切にステレオ音場の再生音を受聴することができる。さらに、本実施の形態にかかるスピーカ配置調整システム１００によれば、簡便かつ適切に調整を行うことができる。
【００２８】
本実施の形態では、第１のスピーカ１０、及び第２のスピーカ２０の放音方向に反射装置３０を配置し、第１のスピーカ１０、及び第２のスピーカ２０にレーザ発光装置１１を配置するのみでよい。よって、システムの構成を簡素化することができる。また、複数のスピーカが設けられている場合であっても、スピーカ間の角度を適切な値に調整することが可能となる。さらに、特許文献１のようにリモコン送信部の向きを変える必要が無いため、複数のスピーカを有するスピーカシステムにおいて、それぞれのスピーカを適切に調整することができる、
【００２９】
図３は、反射装置３０の一例を示す平面図である。反射装置３０は、第１の反射部３１と第２の反射部３２とベース部材３８と固定部３９とを備えている。
【００３０】
ベース部材３８は、例えば、三角柱の部材である。ベース部材３８は、加工しやすく、かつ高い加工精度を保持可能な材料を用いることが好ましい。例えば、金属材料や樹脂材料を用いて、ベース材料３８を形成することができる。
【００３１】
ベース部材３８の一側面に第１の反射部３１が固定されている。ベース部材３８の他の一側面に第２の反射部３２が固定されている。第１の反射部３１及び第２の反射部３２としては、平面鏡を用いることができる。平面鏡は接着剤や両面テープなどで、ベース部材３８に固定されている。あるいは、バネなどの保持部材によって、平面鏡をベース部材３８に固定することができる。もちろん、角度変化がないように安定した手法であれば、平面鏡の固定方法は特に限定されるものではない。第１の反射部３１及び第２の反射部３２は表面反射鏡であることが好ましい。これにより、表面及び裏面での二重反射による二重反射像を防ぐことができる。
【００３２】
ベース部材３８の第１の反射部３１が設けられた側面と第２の反射部３２が設けられた側面との成す角度は、第１のスピーカ１０、第２のスピーカ２０を設置した角度に応じて決定することができる。すなわち、図１で示した開き角θに応じて、ベース部材３８の形状を決定することができる。図１では、第１のスピーカ１０、及び第２のスピーカ２０が同じ開き角θで対称に配置されているため、第１の反射部３１と第２の反射部３２とは、正面前方に延びる直線（図３中の点線）に対して、線対称に配置される。
【００３３】
さらに、ベース部材３８は、固定部３９を備えている。固定部３９は、例えば、三脚に固定するためのねじ穴を有している。具体的には、ベース部材３８の底面の中心に固定部３９となるねじ穴を形成すればよい。図示しない三脚のねじをねじ穴に取り付けることで、反射装置３０を三脚に固定することができる。また、ベース部材３８には、正面前方が分かるような目印を設けてもよい。これにより、第１の反射部３１、及び第２の反射部３２が適切な方向となるように、反射装置３０を設置することができる。
【００３４】
第１のスピーカ１０、第２のスピーカ２０の後方から配置を調整するために、戻り光Ｌ１１の位置を確認するためのミラーを設けてもよい。例えば、第１のスピーカ１０、第２のスピーカ２０の上部に戻り光確認用のミラーを設置する。ユーザが第１のスピーカ１０、第２のスピーカ２０の後方から確認領域１１１を視認できるようにスピーカ前面に対してミラーを傾斜して配置する。ユーザがミラーを介して、戻り光Ｌ１１の位置を確認することができため、調整作業をより容易に行うことができる。
【００３５】
確認領域１１１に戻り光Ｌ１１を受光する光センサを配置してもよい。例えば、受光領域がリング状のフォトダイオードなどを確認領域１１１に配置する。光センサが戻り光Ｌ１１を受光した場合、ユーザに報知するような出力装置を付加する。例えば、光センサが戻り光Ｌ１１を受光した場合に、出力装置がライトを点滅したり、アラーム音を発生させたりすればよい。このようにすることで、第１のスピーカ１０、第２のスピーカ２０の後方から、ユーザが容易に調整を行うことができる。
【００３６】
さらに、戻り光Ｌ１１のずれ量に応じて、出力装置が異なる手法でユーザに報知するようにしてもよい。例えば、大きさが異なるリング状の光センサを複数用意して、同心状に配置する。受光した光センサに応じて、異なる色のライトが点灯するようにする。具体的には、発光部１１０に近い光センサから順に、青色、黄色、赤色にライトを点灯する。なお、ライトの色に限らず、中心に近い光センサが受光するほど、高い輝度でライトを点灯させたり、大きな音量または高い周波数でアラームを鳴動させたりしてもよい。このようにすることで、ユーザが戻り光Ｌ１１のずれ量を容易に把握することができるため、設置角度を容易に調整することができる。
【００３７】
なお、上記の説明では、確認領域１１１はレーザ発光装置１１の一部であるものとして説明したが、確認領域１１１はレーザ発光装置１１以外にあってもよい。例えば、設置角度のずれが大きい場合、レーザ発光装置１１の外側に戻り光が入射する。第１のスピーカ１０のバッフル板１３又はスピーカユニット１４に入射することや、第１のスピーカ１０の外側にある物体に入射することもある。あるいは、レーザ発光装置１１や第１のスピーカ１０とは別体として、確認領域１１１となる部材を第１のスピーカ１０等の取り付けてもよい。このような場合でも、可視光である戻り光Ｌ１１のビーム位置を確認することで、第１のスピーカ１０の設置角度を適切に調整することができる。レーザ発光装置１１の発光部１１０に戻り光が入射するように、第１のスピーカ１０の設置角度を調整することで、受聴位置Ｐに対して、第１のスピーカ１０を正対させることができる。
【００３８】
また、図３では、ベース部材３８に第１の反射部３１と第２の反射部３２とが取り付けられている例を示したが、反射装置３０の構成は特に限定されるものではない。第１の反射部３１と第２の反射部３２とが一体となっていてもよい。第１のスピーカ１０、及び第２のスピーカ２０の調整はユーザが行ってもよく、モータなどのアクチュエータが行ってもよい。
【００３９】
（変形例１）
図４は、変形例１にかかる反射装置３０の構成を示す図である。変形例では５ｃｈサラウンド用スピーカシステムに適用可能な反射装置３０を有している。５ｃｈサラウンド用スピーカシステムでは、５つのスピーカを有している。具体的には、左前方スピーカ、右前方スピーカ、正面スピーカ、左後方スピーカ、右後方スピーカの５つが設けられている。基本的な構成、及び調整方法は、実施の形態１と同様であるため、説明を省略する。
【００４０】
反射装置３０は、第１の反射部３１〜第５の反射部３５を備えている。ベース部材３８が五角形柱状になっている。そして、それぞれの側面に第１の反射部３１〜第５の反射部３５が固定されている。第１の反射部３１〜第５の反射部３５は、それぞれ平面鏡となっている。第１の反射部３１は、左前方スピーカを調整するために用いられる。第２の反射部３２は、右前方スピーカを調整するために用いられる。第３の反射部３３は、正面スピーカを調整するために用いられる。第４の反射部３４は、左後方スピーカを調整するために用いられる。第５の反射部３５は、右後方スピーカを調整するために用いられる。
【００４１】
このように、調整するスピーカの数に応じて、反射部の数、及び角度を決定することができる。これにより、任意のスピーカシステムに対して、スピーカ配置を調整することができる。上記の例では、水平にスピーカが配置されている例について説明したが、受聴位置Ｐの上方に配置されたオーバヘッドスピーカについても同様の手法により、調整を行うことができる。この場合、反射装置３０が斜め上方を向いた反射部を有していればよい。この反射部は、スピーカを配置する仰角に応じた角度で設定すればよい。
【００４２】
好適なスピーカ配置について説明する。以下、Dolby Atoms（登録商標）のホームシアタに基づくスピーカシステムを例示して説明する。なお、水平面内において、受聴位置Ｐの正面前方からの角度を開き角θとし、鉛直面内において、受聴位置Ｐを基準とする正面前方からの角度を仰角とする。
【００４３】
（５．１．２ｃｈ）
５．１．２ｃｈのスピーカシステムの配置例を説明する。５．１．２ｃｈのスピーカシステムは、８つのスピーカ、具体的には、左右前方のスピーカと、正面スピーカと、左右後方のスピーカと、サブウーファスピーカと、左右上方のオーバヘッドスピーカとを有している。なお、サブウーファスピーカの設置角度は特に限定されていないため、説明を省略する。
【００４４】
左前方のスピーカと右前方のスピーカは、開き角が２２°〜３０°の範囲に設置することが好ましい。正面スピーカは、開き角θが０°となることが好ましい。左後方のスピーカと右後方のスピーカは、開き角が９０°〜１１０°の範囲に設置することが好ましい。左右のオーバーヘッドスピーカの仰角は、６５°〜１００°の範囲とすることが好ましく、８０°とすることがより好ましい。
【００４５】
（５．１．４ｃｈ）
５．１．４ｃｈのスピーカシステムの配置例を説明する。５．１．４ｃｈのスピーカシステムでは、５．１．２ｃｈのスピーカシステムに対して、２つのオーバヘッドスピーカが追加されている。具体的には、５．１．４ｃｈのスピーカシステムは、左右前方のオーバヘッドスピーカと、左右後方のオーバヘッドスピーカとを有している。
【００４６】
左前方のスピーカと右前方のスピーカは、開き角が２２°〜３０°の範囲に設置することが好ましい。正面スピーカは、開き角θが０°となることが好ましい。左後方のスピーカと右後方のスピーカは、開き角が９０°〜１１０°の範囲に設置することが好ましい。左右前方のオーバーヘッドスピーカの仰角は、３０°〜５５°の範囲とすることが好ましく、４５°とすることがより好ましい。左右後方のオーバーヘッドスピーカの仰角は、１２５°〜１５０°の範囲とすることが好ましく、１３５°とすることがより好ましい。
【００４７】
（７．１．２ｃｈ）
７．１．２ｃｈのスピーカシステムの配置例を説明する。７．１．２ｃｈのスピーカシステムでは、５．１．２ｃｈのスピーカシステムに対して、左右後方のスピーカが追加されている。
【００４８】
左前方のスピーカと右前方のスピーカは、開き角が２２°〜３０°の範囲に設置することが好ましい。正面スピーカは、開き角θが０°となることが好ましい。左側方のスピーカと右側方のスピーカは、開き角が９０°〜１１０°の範囲に設置することが好ましい。左後方のスピーカと右後方のスピーカは、開き角が１３５°〜１５０°の範囲に設置することが好ましい。左右のオーバーヘッドスピーカの仰角は、６５°〜１００°の範囲とすることが好ましく、８０°とすることがより好ましい。
【００４９】
（７．１．４ｃｈ）
７．１．４ｃｈのスピーカシステムの配置例を説明する。７．１．４ｃｈのスピーカシステムでは、５．１．４ｃｈのスピーカシステムに対して、左右後方のスピーカが追加されている。
【００５０】
左前方のスピーカと右前方のスピーカは、開き角が２２°〜３０°の範囲に設置することが好ましい。正面スピーカは、開き角θが０°となることが好ましい。左側方のスピーカと右側方のスピーカは、開き角が９０°〜１１０°の範囲に設置することが好ましい。左後方のスピーカと右後方のスピーカは、開き角が１３５°〜１５０°の範囲に設置することが好ましい。左右前方のオーバーヘッドスピーカの仰角は、３０°〜５５°の範囲とすることが好ましく、４５°とすることがより好ましい。左右後方のオーバーヘッドスピーカの仰角は、１２５°〜１５０°の範囲とすることが好ましく、１３５°とすることがより好ましい。
【００５１】
（９．１．２ｃｈ）
９．１．２ｃｈのスピーカシステムの配置例を説明する。９．１．２ｃｈのスピーカシステムでは、７．１．２ｃｈのスピーカ配置に加えて左ワイドスピーカと右ワイドスピーカが追加されている。左ワイドスピーカと右ワイドスピーカ以外のスピーカは、７．１．２ｃｈと同じ配置とする。左ワイドスピーカと右ワイドスピーカは、開き角が５０°〜７０°となることが好ましい。
【００５２】
（９．１．４ｃｈ）
９．１．４ｃｈのスピーカシステムの配置例を説明する。９．１．４ｃｈのスピーカシステムでは、７．１．４ｃｈのスピーカ配置に加えて左ワイドスピーカと右ワイドスピーカが追加されている。左ワイドスピーカと右ワイドスピーカ以外のスピーカは、７．１．４ｃｈと同じ配置とする。左ワイドスピーカと右ワイドスピーカは、開き角が５０°〜７０°となることが好ましい。
【００５３】
いずれのｃｈ数のスピーカシステムにおいても、スピーカの配置に応じて、反射部の角度を設定すればよい。つまり、各スピーカの開き角、及び仰角の方向に正対するように反射部の角度を設定すればよい。
【００５４】
実施の形態２．
実施の形態２にかかるスピーカ配置調整システム１００について、図５を用いて説明する。図５は、スピーカ配置調整システム１００の構成を模式的に示す図である。なお、図５では、説明の簡略化のため、左側の第１のスピーカ１０のみを示し、右側の第２のスピーカ２０については省略している。つまり、右側のスピーカについては、左側の第１のスピーカ１０と同様の手法を用いることができるため、説明を省略する。
【００５５】
実施の形態２では、第１の反射部３１、及び第２の反射部３２が曲面鏡により構成されている。具体的には、第１の反射部３１、及び第２の反射部３２が凸面鏡となっている。なお、その他の構成については、実施の形態１と同様であるため説明を省略する。第１の反射部３１として凸面鏡を用いた場合、第１の反射部３１で反射した戻り光が拡がりながら伝播する。したがって、反射装置３０と第１のスピーカ１０との間の距離Ｄ１に応じて、戻り光Ｌ１１のビームサイズが変化する。よって、確認領域における戻り光Ｌ１１のビームサイズに応じて、距離Ｄ１を調整することができる。
【００５６】
ビームサイズが所定のサイズよりも大きい場合、距離Ｄ１が長くなっているため、第１のスピーカ１０を受聴位置Ｐに近づける。ビームサイズが所定のサイズよりも小さい場合、距離Ｄ１が短くなっているため、第１のスピーカ１０を受聴位置Ｐから遠ざける。このようにすることで、受聴位置Ｐから第１のスピーカ１０までの距離Ｄ１が所望の距離となるように、スピーカ配置を調整することができる。また、第２のスピーカ２０（図５では不図示）を調整する場合、同様に、第２の反射部３２からの戻り光のビームサイズに応じて、反射装置３０から第２のスピーカ２０までの距離を調整する。
【００５７】
例えば、第１の反射部３１としてシリンドリカルミラーを用いてもよい。この場合、戻り光Ｌ１１は水平方向に拡がりながら伝播し、鉛直方向に拡がらないように、シリンドリカルミラー配置する。戻り光のビームサイズを拡げる手段として、シリンドリカルミラーを用いることで、１方向にのみビームサイズを拡げることができる。これにより、水平方向と鉛直方向との２方向に拡がる場合と比べて、レーザパワー密度の低下を抑制することができる。よって、確認領域において、戻り光Ｌ１１が視認しづらくなるのを防ぐことができる。よって、高出力のレーザ発光装置１１を用いずとも、スピーカ配置の調整が可能となる。
【００５８】
図６に示すように、戻り光Ｌ１１の確認領域１１１にビームサイズを示す目盛り１１３を付加してもよい。ユーザは戻り光Ｌ１１のビームサイズと、目盛り１１３とを比較することで、距離を容易に把握することができる。目盛り１１３の間隔は等間隔としてもよく、距離Ｄ１及びビームの拡がり角に応じて設定されていてもよい。あるいは、ユーザが定規などを用いて、ビームサイズを測定してもよい。また、戻り光Ｌ１１の位置が上下方向にずれている場合、第１のスピーカ１０を上下方向に傾ければよい。例えば、第１のスピーカ１０の底面にスペーサなどを追加することで、上下方向の傾きを調整することができる。
【００５９】
さらに、受聴位置Ｐから左の第１のスピーカ１０までの距離と、受聴位置Ｐから右の第２のスピーカ２０までの距離を一致させることができる。第１の反射部３１と第２の反射部３２の曲率を同じとする。レーザ光Ｌ１の戻り光とレーザ光Ｌ２の戻り光のビームサイズが一致するように第１のスピーカ１０、及び第２のスピーカ２０の位置を調整する。これにより、第１のスピーカ１０、及び第２のスピーカ２０までの受聴距離を一致させることができる。これにより、適切なサラウンド効果、ステレオ効果を得ることができる。
【００６０】
なお、上記の説明では、ビームサイズを拡げるために、第１の反射部３１、第２の反射部３２として凸面鏡を用いたが、これ以外の手段を用いて、ビームサイズを拡げることも可能である。例えば、第１の反射部３１、第２の反射部３２として凹面鏡を用いてもよい。あるいは、光路中にレンズや拡散板などの光学素子を配置してもよい。また、レーザ発光装置１１が、所定に拡がり角をもったレーザ光Ｌ１を発生させてもよい。
【００６１】
また、曲面鏡の曲率を可変とすれば、部屋の大きさに応じて、戻り光Ｌ１１を最適な拡がり角に設定することが可能となる。例えば、曲率の異なる複数の曲面鏡を用意して、部屋のサイズに応じて交換してもよい。
【００６２】
実施の形態３．
実施の形態３にかかるスピーカ配置調整システム１００について、図７を用いて説明する。図７は、スピーカ配置調整システム１００の構成を模式的に示す図である。
【００６３】
図７では、第１のスピーカ１０に取付部１８が設けられている。取付部１８は、レーザ発光装置１１を第１のスピーカ１０に固定する。取付部１８は、第１のスピーカ１０に対するレーザ発光装置１１の取付角度αを調整可能になっている。これにより、任意の角度になるように、ユーザや環境に応じて微妙な調整が可能となる。受聴位置Ｐに対する第１のスピーカ１０の正対度合いを調整することが可能になる。また、取付角度を示す角度目盛りを取付部１８に設けてもよい。
【００６４】
取付部１８は脱着可能となっていてもよい。具体的には、取付部１８は、繰り返し利用可能な両面テープ，又は吸盤等となっていてもよい。ユーザは、取付部１８によりレーザ発光装置１１を第１のスピーカ１０に取り付ける。そして、第１のスピーカ１０の調整が終了した後、ユーザは、レーザ発光装置１１を第１のスピーカ１０から取り外して、第２のスピーカ２０に取り付ける。
【００６５】
このようにすることで、共通のレーザ発光装置１１により、第１のスピーカ１０と第２のスピーカとを調整することができるため、レーザ発光装置の数を少なくすることができる。もちろん、スピーカを調整する順番は特に限定されるものではなく、第２のスピーカ２０の調整後に、第１のスピーカ１０を調整してもよい。もちろん、第１のスピーカ１０及び第２のスピーカ２０のみがある構成に限らず、３つ以上のスピーカがある構成であっても、全てのスピーカに対して、共通のレーザ発光装置１１を用いることが可能である。さらに、レーザ発光装置１１が取り付け可能であれば、既成のスピーカについても調整を行うことが可能となる。
【００６６】
レーザ発光装置１１を第１のスピーカ１０に対して脱着可能に取り付ける。これにより、１台のレーザ発光装置１１により、２台以上のスピーカの配置を調整することができる。例えば、５ｃｈや７ｃｈのスピーカシステムであっても１台のレーザ発光装置１１で調整を行うことが可能となる。
【００６７】
また、取付部１８は、バイス機構やクリップ機構を有してもよい。これにより、既存のレーザ発光装置を用いて、スピーカ配置を調整することも可能となる。
【００６８】
上記の説明では、レーザ発光装置１１の角度を変えることで、スピーカの設置角度を所望の角度にする例について説明したがが、第１の反射部３１、第２の反射部３２の取付角度を変えるようにしてもよい。このように、レーザ発光装置１１、第１の反射部３１、第２の反射部３２の少なくとも１つの角度を可変とすることで、調整の自由度を拡げることができる。例えば、ユーザの好みや、受聴環境に応じて、ユーザが適切な角度に調整することができる。
【００６９】
実施の形態４．
本実施の形態にかかるスピーカ配置調整システム１００について、図８を用いて説明する。図８では、反射装置３０が球形状のミラーを有している。そして、球形ミラーの一部が第１の反射部３１と第２の反射部３２とに対応する。球形状のミラーの中心を受聴位置Ｐと一致させた状態で、調整を行う。このようにすることで、任意の方向においてもスピーカを受聴位置Ｐに正対させることができる。また、反射装置３０の設置角度に起因する設置角度の誤差を抑制することができる。反射装置３０は、全球に限らず、半球等であってよい。
【００７０】
実施の形態５．
本実施の形態にかかるスピーカ配置調整システム１００について、図９を用いて説明する。図９では、反射装置３０の第１の反射部３１が平面鏡３１ａと曲面鏡３１ｂとを備えている。なお、第２の反射部３２については、第１の反射部３１と同様の構成とすることができるため、第２のスピーカ２０の調整については説明を省略する。
【００７１】
平面鏡３１ａは、ハーフミラーなどの半透過鏡となっている。平面鏡３１ａは、入射した光の一部を反射して、一部を透過する。平面鏡３１ａと曲面鏡３１ｂとは重ね合わされた状態で配置されている。平面鏡３１ａは、曲面鏡３１ｂの光軸と直交する平面と平行に配置されている。曲面鏡３１ｂは例えば、凸面の球面鏡となっている。
【００７２】
平面鏡３１ａは、曲面鏡３１ｂの前側に配置されている。つまり、平面鏡３１ａは、曲面鏡３１ｂと、レーザ発光装置１１との間に配置されている。レーザ光Ｌ１の一部は、平面鏡３１ａで反射されて、第１のスピーカ１０に向かう戻り光Ｌ１１ａとなる。実施の形態１等で説明したように、第１のスピーカ１０上での戻り光Ｌ１１ａの位置により、第１のスピーカ１０を適切な位置に配置することができる。具体的には、戻り光Ｌ１１ａがレーザ発光装置１１の発光部１１０（図２参照）に入射するように調整することで、第１のスピーカ１０を適切な位置、及び向きに設置することができる。
【００７３】
レーザ光Ｌ１の一部は、平面鏡３１ａを透過して、曲面鏡３１ｂに入射する。曲面鏡３１ｂは、レーザ光Ｌ１を第１のスピーカ１０に向けて反射する。曲面鏡３１ｂで反射した光を戻り光Ｌ１１ｂとする。曲面鏡３１ｂは凸面鏡であるため、戻り光Ｌ１１は広がりながら、伝播する。実施の形態２で説明したように、第１のスピーカ１０における戻り光Ｌ１１ｂのビームサイズにより、第１のスピーカ１０と反射装置３０との距離を適切な距離に調整することができる。
【００７４】
第１のスピーカ１０において、通常、戻り光Ｌ１１ａと戻り光Ｌ１１ｂとは、重なっている。第１のスピーカ１０が適切な位置、及び向きに調整されている場合、戻り光Ｌ１１ａが発光部１１０（図２参照）に一致し、かつ、戻り光Ｌ１１ｂの中心が発光部１１０に一致する。つまり、第１のスピーカ１０の放音方向の中心軸が曲面鏡３１ｂの光軸に一致している場合、戻り光Ｌ１１ａの位置が戻り光Ｌ１１ｂの中心にある。戻り光Ｌ１１ａの位置により、より適切かつ簡便にスピーカ配置を調整することができる。また、戻り光Ｌ１１ｂのビームサイズにより、第１のスピーカ１０と反射装置３０との距離を容易に調整することができる。
【００７５】
本実施の形態の構成により、受聴位置Ｐに対する第１のスピーカ１０の位置、向き、及び距離を簡便かつ適切に調整することができる。具体的には、実施の形態２の構成に比べて、第１のスピーカ１０の向き（設置角度）の調整を適切かつ容易に行うことができる。例えば、図５の構成において、第１の反射部３１が凸面の球面鏡である場合、第１のスピーカ１０が球面鏡の曲率中心周りに回転移動したとしても、第１のスピーカ１０に対する戻り光Ｌ１１の位置は変化しない。例えば、図５と図１０とを比較すると、第１のスピーカ１０の位置が異なっているが、第１のスピーカ１０に対する戻り光Ｌ１１の位置は同じとなってしまう。実施の形態２の構成では、例えば、開き角θを適切な角度に調整することができないおそれがある。本実施の形態５によれば、実施の形態２に比して、スピーカの開き角を適切な角度に調整することができる。図１の構成のように、第１の反射部３１として平面鏡のみを用いた場合、反射装置３０に対する第１のスピーカ１０の位置が平面鏡の反射面と平行に移動したとしても、戻り光の位置が変化しない。したがって、実施の形態１の構成では、スピーカ位置を適切に調整することができないおそれがある。これに対して、本実施の形態のように曲面鏡を用いることで、スピーカ位置を適切に調整することができる。
【００７６】
上記の実施の形態１〜５は、適宜組み合わせて用いることができる。例えば、実施の形態４においても、実施の形態２で示したように、ビームサイズに応じて距離を調整することができる。また、実施の形態３を実施の形態２又は実施の形態４と組み合わせてもよい。
【００７７】
以上、本発明者によってなされた発明を実施の形態に基づき具体的に説明したが、本発明は上記実施の形態に限られたものではなく、その要旨を逸脱しない範囲で種々変更可能であることは言うまでもない。
【符号の説明】
【００７８】
１００  スピーカ配置調整システム
１０  第１のスピーカ
１１  レーザ発光装置
１３  バッフル板
１４  スピーカユニット
１８  取付部
２０  第２のスピーカ
２１  レーザ発光装置
３０  反射装置
３１  第１の反射部
３２  第２の反射部
【図１】
2020123807.tif 000003
【図２】
2020123807.tif 000004
【図３】
2020123807.tif 000005
【図４】
2020123807.tif 000006
【図５】
2020123807.tif 000007
【図６】
2020123807.tif 000008
【図７】
2020123807.tif 000009
【図８】
2020123807.tif 000010
【図９】
2020123807.tif 000011
【図１０】
2020123807.tif 000012